(57)【要約】【課題】フレームの大きさの割に渡し干しをすることができる洗濯物の数が少ない、更に、洗濯物の渡し干しを行う際に該洗濯物の渡し干し作業に使用するピンチに隣接する他のピンチに作業者の手指が触れるため、渡し干し作業に支障をきたすという課題を解消する。【解決手段】物干し竿、物干しロープ等の支持手段１に係止するためのフック３を備えたフレーム５に多数のピンチ７を吊り下げてなる物干し器であり、該フレーム５には渡し干しができるようにピンチを吊り下げてなる渡し干しの列１８、２０を平面視同一方向に多数形成し、前記各渡し干しの列におけるピンチと隣接する他の渡し干しの列における最近のピンチとの中心間の距離は、ピンチにおける一対のつまみ部の外幅と、ピンチをつまむ際に指が入るスペースと、指が隣接するピンチに触れることを防ぐためのスペースとの合計である。【選択図】図１
2020130841.tif 000002
【特許請求の範囲】
【請求項１】
物干し竿、物干しロープ等の支持手段１に係止するためのフック３を備えたフレーム５に多数のピンチ７を吊り下げてなる物干し器において、
該フレーム５には渡し干しができるようにピンチを吊り下げてなる渡し干しの列１８、２０を平面視同一方向に多数形成し、
前記各渡し干しの列におけるピンチと隣接する他の渡し干しの列における最近のピンチとの中心間の距離は、ピンチにおける一対のつまみ部の外幅と、ピンチをつまむ際に指が入るスペースと、指が隣接するピンチに触れることを防ぐためのスペースとの合計であることを特徴とする物干し器。
【請求項２】
物干し竿、物干しロープ等の支持手段１に係止するフック３を備えたフレーム５に多数のピンチ７を吊り下げ、該フレーム5は、一対のフレーム構成部5ａ、５ｂを中央の軸部９、9を介して折り畳み自在に連結してなる物干し器において、
一方のフレーム構成部5ａは、平面視前側の外枠前側部１３aと平面視後側の外枠後側部１３a‘と平面視左側の外枠左側部１５ａと平面視右側の外枠右側部１５ａ’とを有する外枠部１１aを備え、該外枠部１１aは内側に平面視左右方向の前側補強部１７aと、平面視左右方向の後側補強部１７a‘とを備え、
他方のフレーム構成部5ｂは、平面視前側の外枠前側部１３ｂと平面視後側の外枠後側部１３ｂ‘と平面視左側の外枠左側部１５ｂと平面視右側の外枠右側部１５ｂ’とを有する外枠部１１ｂを備え、該外枠部１１ｂは内側に平面視左右方向の前側補強部１７ｂと、平面視左右方向の後側補強部１７ｂ‘とを備え、
前記フレーム構成部5ａには、渡し干しができるように外枠前側部１３aと後側補強部１７a‘とにピンチ７ａを吊り下げることにより第一の渡し干しの列１８を平面視同一方向に多数形成すると共に、渡し干しができるように外枠後側部１３a‘と前側補強部１７aとにピンチ７ｂを吊り下げることにより第二の渡し干しの列２０を平面視同一方向に多数形成し、
前記フレーム構成部5ｂには、渡し干しができるように外枠後側部１３ｂ‘と前側補強部１７ｂとにピンチ７ａを吊り下げることにより第一の渡し干しの列１８を平面視同一方向に多数形成すると共に、渡し干しができるように外枠前側部１３ｂと後側補強部１７ｂ‘とにピンチ７ｂを吊り下げることにより第二の渡し干しの列２０を平面視同一方向に多数形成し、
前記各渡し干しの列におけるピンチと隣接する他の渡し干しの列における最近のピンチとの中心間の距離は、ピンチにおける一対のつまみ部の外幅と、ピンチをつまむ際に指が入るスペースと、指が隣接するピンチに触れることを防ぐためのスペースとの合計であることを特徴とする物干し器。
【請求項３】
前記各渡し干しの列におけるピンチと隣接する他の渡し干しの列における最近のピンチとの中心間の距離は、７ｃｍ以上であることを特徴とする請求項１又は２に記載の物干し器。
【請求項４】
前記各渡し干しの列と、隣接する他の渡し干しの列とは、それぞれ列の長さ方向にずらした位置に配設したことを特徴とする請求項１〜３のいずれかに記載の物干し器。
【発明の詳細な説明】
【技術分野】
【０００１】
本発明は、洗濯物を干すための物干し器に関するものであり、特に洗濯物の渡し干しに適した物干し器に係るものである。
【０００２】
本出願における「渡し干し」とは、物干し器により洗濯物を干す際に、フェイスタオル、トランクス等の幅広の洗濯物の両端を物干し器のピンチにより挟持して掛け渡した状態で干すことをいう。本出願における「小物干し」とは、靴下等の小さな洗濯物を一つのピンチにより挟持した状態で干すことをいう。また、本出願における「ピンチ」とは、物干し器に取り付けられた洗濯ばさみ状の挟持具をいう。
【背景技術】
【０００３】
物干し器としては、例えば特開平１０−２９０８９５号公報に示すものが知られている。この物干し器は、添付図面における図４に示すように、物干し竿、物干しロープ等の支持手段１に係止するフック３を備えたフレーム５に多数のピンチ７を吊り下げてなるものであり、従来より使用されている。なお、図４に示す物干し器における該フレーム5は、一対のフレーム構成部5ａ、５ｂを中央の軸部９、9を介して折り畳み自在に連結してなるものである。
【先行技術文献】
【特許文献】
【０００４】
【特許文献１】特開平１０−２９０８９５号公報
【発明の概要】
【発明が解決しようとする課題】
【０００５】
図４に示す物干し器を含む従来の物干し器においては、フレームにおけるピンチの吊り下げ位置は物干し器の製造者等により種々に異なる。もとより、このような従来の物干し器においても洗濯物の渡し干しは一応可能ではある。
【０００６】
しかしながら、従来の物干し器においては、下記の問題がある。
（イ）フレーム５に吊り下げられた多数のピンチ７の配設位置ないし配設状態が洗濯物の渡し干しに適したものではないため、フレームの大きさの割に渡し干しをすることができる洗濯物の数が少ないという問題があり、また、ある洗濯物の渡し干しを行う際にフレームにおけるどのピンチを使用すべきかが判然としないという問題もある。
（ロ）フレーム５に吊り下げられた多数のピンチ７における一つの洗濯物の渡し干しに使用するピンチと他のピンチとの間隔が小さすぎるため、該洗濯物の渡し干しを行う際に該洗濯物の渡し干し作業に使用するピンチに隣接する他のピンチに作業者の手指が触れる結果、渡し干し作業に支障をきたすという問題がある。
本発明は、以上の課題を解決しようとしてなされたものである。
【課題を解決するための手段】
【０００７】
上記課題を解決するために、本発明は下記の物干し器を提供する。
【０００８】
（請求項１）
物干し竿、物干しロープ等の支持手段１に係止するためのフック３を備えたフレーム５に多数のピンチ７を吊り下げてなる物干し器において、
該フレーム５には渡し干しができるようにピンチを吊り下げてなる渡し干しの列１８、２０を平面視同一方向に多数形成し、
前記各渡し干しの列におけるピンチと隣接する他の渡し干しの列における最近のピンチとの中心間の距離は、ピンチにおける一対のつまみ部の外幅と、ピンチをつまむ際に指が入るスペースと、指が隣接するピンチに触れることを防ぐためのスペースとの合計であることを特徴とする物干し器。
【０００９】
（請求項２）
物干し竿、物干しロープ等の支持手段１に係止するフック３を備えたフレーム５に多数のピンチ７を吊り下げ、該フレーム5は、一対のフレーム構成部5ａ、５ｂを中央の軸部９、9を介して折り畳み自在に連結してなる物干し器において、
一方のフレーム構成部5ａは、平面視前側の外枠前側部１３aと平面視後側の外枠後側部１３a‘と平面視左側の外枠左側部１５ａと平面視右側の外枠右側部１５ａ’とを有する外枠部１１aを備え、該外枠部１１aは内側に平面視左右方向の前側補強部１７aと、平面視左右方向の後側補強部１７a‘とを備え、
他方のフレーム構成部5ｂは、平面視前側の外枠前側部１３ｂと平面視後側の外枠後側部１３ｂ‘と平面視左側の外枠左側部１５ｂと平面視右側の外枠右側部１５ｂ’とを有する外枠部１１ｂを備え、該外枠部１１ｂは内側に平面視左右方向の前側補強部１７ｂと、平面視左右方向の後側補強部１７ｂ‘とを備え、
前記フレーム構成部5ａには、渡し干しができるように外枠前側部１３aと後側補強部１７a‘とにピンチ７ａを吊り下げることにより第一の渡し干しの列１８を平面視同一方向に多数形成すると共に、渡し干しができるように外枠後側部１３a‘と前側補強部１７aとにピンチ７ｂを吊り下げることにより第二の渡し干しの列２０を平面視同一方向に多数形成し、
前記フレーム構成部5ｂには、渡し干しができるように外枠後側部１３ｂ‘と前側補強部１７ｂとにピンチ７ａを吊り下げることにより第一の渡し干しの列１８を平面視同一方向に多数形成すると共に、渡し干しができるように外枠前側部１３ｂと後側補強部１７ｂ‘とにピンチ７ｂを吊り下げることにより第二の渡し干しの列２０を平面視同一方向に多数形成し、
前記各渡し干しの列におけるピンチと隣接する他の渡し干しの列における最近のピンチとの中心間の距離は、ピンチにおける一対のつまみ部の外幅と、ピンチをつまむ際に指が入るスペースと、指が隣接するピンチに触れることを防ぐためのスペースとの合計であることを特徴とする物干し器。
【００１０】
（請求項３）
前記各渡し干しの列におけるピンチと隣接する他の渡し干しの列における最近のピンチとの中心間の距離は、７ｃｍ以上である。
【００１１】
（請求項４）
前記各渡し干しの列と、隣接する他の渡し干しの列とは、それぞれ列の長さ方向にずらした位置に配設する。
【発明の効果】
【００１２】
本発明によれば、フレームには渡し干しができるようにピンチを吊り下げてなる渡し干しの列１８、２０を平面視同一方向に多数形成しているため、洗濯物を整然と渡し干しすることができ、フレームの大きさの割に多数の渡し干しの列を形成することができる。換言すれば、フレームの大きさの割に渡し干しをすることができる洗濯物の数が多くなる。また、ピンチの位置が見やすく、ある洗濯物の渡し干しを行う際にどのピンチを使用すべきかが分かりやすい、という効果が発揮される。
【００１３】
各渡し干しの列におけるピンチと隣接する他の渡し干しの列における最近のピンチとの中心間の距離は、該ピンチにおける一対のつまみ部の外幅と、該ピンチをつまむ際に指が入るスペースと、指が隣接するピンチに触れることを防ぐためのスペースとの合計、好ましくは７ｃｍ以上、であるため、ある洗濯物の渡し干しを行う際に該洗濯物の渡し干し作業に使用するピンチに隣接する他のピンチに作業者の手指が触れる結果、渡し干し作業に支障をきたすという問題が解消し、渡し干し作業を容易に行うことができる。
【００１４】
各渡し干しの列と、隣接する他の渡し干しの列とは、それぞれ列の長さ方向にずらした位置に配設されているため、各渡し干しの列におけるピンチと隣接する他の渡し干しの列における最近のピンチとの中心間の距離を大きくしても、多数の渡し干しの列を形成することができる。また、各渡し干しの列と、隣接する他の渡し干しの列とは、それぞれ列の長さ方向にずらした位置に配設されているため、各渡し干しの列と隣接する他の渡し干しの列との間に風が入りやすくなるという効果もある。
【図面の簡単な説明】
【００１５】
【図１】図１は、フレームにピンチを吊り下げる位置を概略的に示す平面図である。
【図２】図２は、ピンチと該ピンチに隣接する他のピンチとの中心間の距離を示す説明図である。
【図３】図３は、各渡し干しの列と、隣接する他の渡し干しの列とを、それぞれ列の長さ方向にずらした位置に配設した状態を概略的に示す平面図である。
【図４】図４は、従来の物干し器の一例を示す正面図である。
【発明を実施するための形態】
【００１６】
以下、本発明を実施するための形態について、添付図面を参照して説明する。
【００１７】
本発明による物干し器は、図４に示すように、物干し竿、物干しロープ等の支持手段１に係止するためのフック３を備えたフレーム５に多数のピンチ７を吊り下げてなるものである点において、従来の物干し器と共通する。符号2に示すものはフック３を支持するフック台である。符号４に示すものはフック台2とフレーム5とを連結する吊下紐等の吊り下げ手段である。
【００１８】
しかして、本発明においては、該フレーム５には渡し干しができるようにピンチを吊り下げてなる渡し干しの列（並び）１８、２０を平面視同一方向に多数形成する。各渡し干しの列１８，２０は少なくとも２個のピンチよりなる。すなわち、多数の渡し干しの列１８、２０は、例えば平面視前後方向（図1における上下方向）又は平面視左右方向（図1における左右方向）に形成する。
【００１９】
更に、本発明による物干し器においては、前記各渡し干しの列におけるピンチと隣接する他の渡し干しの列における最近のピンチとの中心間の距離は、ピンチにおける一対のつまみ部の外幅と、ピンチをつまむ際に指が入るスペースと、指が隣接するピンチに触れることを防ぐためのスペースとの合計である。すなわち、図２に示すように、前記各渡し干しの列におけるピンチと隣接する他の渡し干しの列における最近のピンチとの中心間の距離aは、ピンチ７における一対のつまみ部８、８の外幅ｂ(b/2＋b/2)と、該ピンチ７をつまむ際に指が入るスペースcと、指が隣接するピンチ７に触れることを防ぐためのスペースdとの合計である。すなわち、
ａ=b/2+b/2+c+d（図２）
【００２０】
前記各渡し干しの列におけるピンチと隣接する他の渡し干しの列における最近のピンチとの中心間の距離aは、好ましくは、７ｃｍ以上である。図２参照。
・ピンチ７における一対のつまみ部８、８の外幅ｂは約４ｃｍである。すなわち、外幅ｂ= b/2＋b/2であり、b/2は約２ｃｍであるから、外幅ｂは約４ｃｍである。
・ピンチ７をつまむ際に指が入るスペースcは約２ｃｍである。
・指が隣接するピンチ７に触れることを防ぐためのスペースdは約１ｃｍとする。
したがって、前記各渡し干しの列におけるピンチと隣接する他の渡し干しの列における最近のピンチとの中心間の距離a（ａ=b/2+b/2+c+d）は、７ｃｍ以上であることが望ましい。
【００２１】
次に、図１に示す事例について説明する。
この事例は、物干し竿、物干しロープ等の支持手段１に係止するフック３を備えたフレーム５に多数のピンチ７を吊り下げ、該フレーム5は、一対のフレーム構成部5ａ、５ｂを中央の軸部９、9を介して折り畳み自在に連結してなる物干し器である点においては、従来の物干し器と共通する。
【００２２】
以下、図1に示す事例における従来の物干し器を相違する点について詳細に説明する。
【００２３】
一方のフレーム構成部5ａは、平面視前側の外枠前側部１３aと平面視後側の外枠後側部１３a‘と平面視左側の外枠左側部１５ａと平面視右側の外枠右側部１５ａ’とを有する外枠部１１aを備え、該外枠部１１aは内側に平面視左右方向の前側補強部１７aと、平面視左右方向の後側補強部１７a‘とを備えている。
【００２４】
他方のフレーム構成部5ｂは、平面視前側の外枠前側部１３ｂと平面視後側の外枠後側部１３ｂ‘と平面視左側の外枠左側部１５ｂと平面視右側の外枠右側部１５ｂ’とを有する外枠部１１ｂを備え、該外枠部１１ｂは内側に平面視左右方向の前側補強部１７ｂと、平面視左右方向の後側補強部１７ｂ‘とを備えている。
【００２５】
前記フレーム構成部5ａには、渡し干しができるように外枠前側部１３aと後側補強部１７a‘とにピンチ７ａを吊り下げることにより第一の渡し干しの列１８を平面視同一方向に多数形成すると共に、渡し干しができるように外枠後側部１３a‘と前側補強部１７aとにピンチ７ｂを吊り下げることにより第二の渡し干しの列２０を平面視同一方向に多数形成する。例えば、第一の渡し干しの列１８におけるピンチ７aは渡し干し用ピンチとし、第二の渡し干しの列２０におけるピンチ７ｂは渡し干しと小物干しとのいずれもができるように渡し干し・小物干し兼用ピンチとしてもよい。
【００２６】
前記フレーム構成部5ｂには、渡し干しができるように外枠後側部１３ｂ‘と前側補強部１７ｂとにピンチ７ａを吊り下げることにより第一の渡し干しの列１８を平面視同一方向に多数形成すると共に、渡し干しができるように外枠前側部１３ｂと後側補強部１７ｂ‘とにピンチ７ｂを吊り下げることにより第二の渡し干しの列２０を平面視同一方向に多数形成する。例えば、第一の渡し干しの列１８におけるピンチ７aは渡し干し用ピンチとし、第二の渡し干しの列２０におけるピンチ７ｂは渡し干しと小物干しとのいずれもができるように渡し干し・小物干し兼用ピンチとしてもよい。
【００２７】
図１に示す事例においても、前記各渡し干しの列におけるピンチと隣接する他の渡し干しの列における最近のピンチとの中心間の距離は、ピンチにおける一対のつまみ部の外幅と、ピンチをつまむ際に指が入るスペースと、指が隣接するピンチに触れることを防ぐためのスペースとの合計であり、好ましくは７ｃｍ以上である。
【００２８】
前記フレーム構成部5ａにおける前側補強部１７aと後側補強部17ａ‘とは平面視前後方向の複数の第一補強部１９ａにより連結されている。前記フレーム構成部５ｂにおける前側補強部１７bと後側補強部１７b‘とは平面視前後方向の複数の第二補強部１９ｂにより連結されている。
【００２９】
図1に示すように、前記フレーム構成部5ａにおける内側に湾曲した外枠左側部１５ａと内側に湾曲した外枠右側部１５ａ’と各第一補強部１９ａとにおける平面視前後方向に一致した位置にそれぞれ小物干し用ピンチ７ｃを吊り下げてもよい。また、前記フレーム構成部５ｂにおける内側に湾曲した外枠左側部１５ｂと内側に湾曲した外枠右側部１５ｂ’と各第二補強部１９ｂとにおける平面視前後方向に一致した位置にそれぞれ小物干し用ピンチ７ｃを吊り下げてもよい。
【００３０】
前記各渡し干しの列と、隣接する他の渡し干しの列とは、それぞれ列の長さ方向にずらした位置に配設する。すなわち、図１に示すように、例えばフレーム構成部５aにおいて、各渡し干しの列１８における後端のピンチ７aは、隣接する他の渡し干しの列２０における対応端のピンチ７ｂよりも平面視前方に入り込んだ位置にあり、各渡し干しの列１８における前端のピンチ７aは、隣接する他の渡し干しの列２０における対応端のピンチ７ｂよりも平面視前方に突出した位置にある。この場合、図３に示すように、各渡し干しの列１８におけるピンチ７aと隣接する他の渡し干しの列２０における最近のピンチ７ｂとの中心間の距離ｆは、該ピンチ７aが符号７a‘に示す点線の位置（ピンチ７a‘が当該最近のピンチ７ｂと平面視左右方向に同一線上にある位置）にあるときの中心間の距離eよりも長い。したがって、前記各渡し干しの列と、隣接する他の渡し干しの列とを、それぞれ列の長さ方向にずらした位置に配設することにより、各渡し干しの列におけるピンチと隣接する他の渡し干しの列における最近のピンチとの中心間の距離を長くすることができる。なお、図3における符号ｗに示すものは風の流れである。
【００３１】
本発明の物干し器においては、好ましくは、前記各第一の渡し干しの列１８における各ピンチ７ａを同一色で揃え、前記各第二の渡し干しの列２０における各ピンチ７ｂを当該各第一の渡し干しの列１８における各ピンチ７ａとは異なる同一色で揃える。すなわち、一例として、各第一の渡し干しの列１８における各ピンチ７ａの色を白とし、各第二の渡し干しの列２０における各ピンチ７ｂの色を青とする。この事例においては、第一の渡し干しの列１８と第二の渡し干しの列２０とはピンチの色により容易に識別することができる。洗濯物の渡し干しを行う場合には、例えば、まず第一の渡し干しの列１８を使用し、続いて、必要があれば第二の渡し干しの列２０を使用する。
【符号の説明】
【００３２】
１  支持手段
２  フック台
３  フック
４  吊り下げ手段
５  フレーム
５ａ  フレーム構成部
５ｂ  フレーム構成部
７  ピンチ
７ａ  渡し干し用ピンチ
７ｂ  渡し干し・小物干し兼用ピンチ
７ｃ  小物干し用ピンチ
８  つまみ部
９  軸部
１１ａ  外枠部
１１ｂ  外枠部
１３ａ  外枠前側部
１３ａ‘  外枠後側部
１３ｂ  外枠前側部
１３ｂ‘  外枠後側部
１５ａ  外枠左側部
１５ａ‘  外枠右側部
１５ｂ  外枠左側部
１５ｂ‘  外枠右側部
１７ａ  前側補強部
１７ａ‘  後側補強部
１７ｂ  前側補強部
１７ｂ‘  後側補強部
１８  渡し干しの列
１９ａ  第一補強部
１９ｂ  第二補強部
２０  渡し干しの列
【図１】
2020130841.tif 000003
【図２】
2020130841.tif 000004
【図３】
2020130841.tif 000005
【図４】
2020130841.tif 000006